(57)【要約】【課題】小指への負担を軽減し、腱鞘炎のおそれを軽減する。さらに、櫛を持つときの鋏の安定性を向上させる。【解決手段】動刃１１は柄部１２を介して親指リング１３と連続し、鋏半体１を構成し、静刃２１は柄部２２を介し薬指リング２３と連続し、鋏半体２を構成する。薬指リング２３には小指掛２４が延設される。鋏半体１と鋏半体２とが軸支部３にて回動自在に連結されている。更に、クォーターリング４１およびワンエイスリング４２を備える。クォーターリング４１は、軸支部３と薬指リング２３との間から鋏先端側に向かって延設され、人差し指背部と当接する。ワンエイスリング４２は、薬指リング２３に鋏先端側に向かって延設され、中指背部と当接する。クォーターリング４１、ワンエイスリング４２は、鋏先端側が開放されている非リング状である。【選択図】図８
2014200570.tif 000002
【特許請求の範囲】
【請求項１】
刃部と親指リングとを有する第１鋏半体と、刃部と薬指リングとを有する第２鋏半体とが軸支部にて回動自在に連結される鋏であって、
更に、指掛止部を具備し、
前記指掛止部は、
前記第２鋏半体の該軸支部より薬指リング側の位置から鋏先端側に向かって延設され、
鋏先端側が開放された非リング状である
ことを特徴とする鋏。
【請求項２】
前記指掛止部は、
該軸支部と該薬指リングとの間から延設され、
人差し指背部と当接する
ことを特徴とする請求項１記載の鋏。
【請求項３】
前記指掛止部の根元と前記薬指リングの鋏先端側端部との間に形成される空間の長さは、１５〜２５ｍｍである
ことを特徴とする請求項２記載の鋏。
【請求項４】
前記指掛止部は、１／４楕円弧状である
ことを特徴とする請求項２〜３記載の鋏。
【請求項５】
前記指掛止部の背部に溝が設けられる
ことを特徴とする請求項２〜４記載の鋏。
【請求項６】
前記指掛止部は、
該薬指リングから延設され、
中指背部と当接する
ことを特徴とする請求項１記載の鋏。
【請求項７】
前記指掛止部は、
該軸支部と該薬指リングとの間から延設され、人差し指背部と当接する、人差し指掛止部と、
該薬指リングから延設され、中指背部と当接する、中指掛止部と
を有することを特徴とする請求項１記載の鋏。
【発明の詳細な説明】
【技術分野】
【０００１】
本発明は鋏に関し、特に理容または美容用の鋏に関する。
【背景技術】
【０００２】
一般的に利用されている理容師や美容師の鋏（従来技術１）の構成・作用について、簡単に説明する。動刃と親指リングとを有する第１鋏半体と、静刃部と薬指リングと小指掛部とを有する第２鋏半体とが軸支部にて回動自在に連結されている。親指腹側を親指リングに押し当てることにより、静刃に対し動刃が回動し、静刃と動刃との間にある髪を切断する。
【０００３】
従来技術１（一般的な鋏）を用いた散髪の動作について簡単に説明する（後述にて詳細を説明する）。髪切断時は、親指を親指リングに挿入し、薬指を薬指リングに挿入し、人差し指と中指とを第２鋏半体の柄部に添え、小指を小指掛部に掛ける。これを基本状態とする。
【０００４】
以下の手順を、右利きを前提として説明する。髪切断後、鋏を握った状態で、右手で櫛を持つ。右手を使い、櫛で髪を梳かす。何度か梳かしながら髪を引出し、左手で髪を挟み、次の切断長を調節する。左手で髪を挟んだ状態で、櫛を右手から左手に持ち替える。左手で髪を挟んだ状態で、指の外に出ている髪を切断する。
【０００５】
この一連の動作のうち、基本状態から櫛を持つとき、親指を親指リングから抜く。これにより、薬指を中心とした大きなモーメントが発生し、回動を止めるために小指に大きな力が発生する。また、櫛を持ち替え再度基本状態に戻るときも同様である。
【０００６】
一連の動作は、1人の散髪にて、２００回以上繰り返される。従って、小指に大きな力が繰り返し作用することになる。理容師や美容師は、この動作を終日、毎日、数〜数十年繰り返すうちに、腱鞘炎になるおそれもある。
【０００７】
また、基本状態から櫛を持つとき、小指のみで力のバランスを取るため、不安定な状態となる。鋏が落下するといったおそれもある。
【０００８】
従来技術１における、親指を親指リングから抜いたときの不安定さを解消するために、例えば、特許文献１にはダブルリングを備えた鋏（従来技術２）が記載されている。
【０００９】
すなわち、従来技術１は薬指リングのみを備えるのに対し、従来技術２は中指リングと薬指リングとから構成されるダブルリングを有する。
【００１０】
従来技術２では、親指を親指リングから抜き、薬指を中心とした大きなモーメントが発生した場合、中指リングが中指背部に掛止され、力が作用する。その結果、小指に作用する力は軽減される。これにより、安定性が増すととともに、腱鞘炎のおそれも軽減する。
【先行技術文献】
【特許文献】
【００１１】
【特許文献１】特開２００１−１４５７８８
【発明の概要】
【発明が解決しようとする課題】
【００１２】
しかし、従来技術２に係る鋏は、以下の様に実用性に欠ける。
【００１３】
通常、鋏を掌に包み込むように握りながら、櫛を右手の親指と人差し指と中指との３点で支持する。そのため、中指を中指リングから抜く必要がある。
【００１４】
上述のように、櫛を持つ動作は繰り返すため、中指を中指リングから抜いたり、中指を中指リングに挿入したりする動作を繰り返すと、中指への負担が増大し、別の筋肉が腱鞘炎になるおそれもある。
【００１５】
また、中指を中指リングから抜いたり、中指を中指リングに挿入したりする一動作は一瞬であるものの、何百回も繰り返すことにより、カットスピードが低下するおそれもある。
【００１６】
本発明は、上記課題を解決するものであり、腱鞘炎のおそれを軽減できる鋏を提供することを目的とする。また、安定性に優れた鋏を提供することを目的とする。
【課題を解決するための手段】
【００１７】
上記課題を解決するために、本発明は、刃部と親指リングとを有する第１鋏半体と、刃部と薬指リングとを有する第２鋏半体とが軸支部にて回動自在に連結される鋏であって、更に、指掛止部を具備し、前記指掛止部は、前記第２鋏半体の該軸支部より薬指リング側の位置から鋏先端側に向かって延設され、鋏先端側が開放された非リング状である。
【００１８】
人差し指および／または中指に指掛止部が掛止されることにより、親指リングから親指を抜いたときの小指への負担を大幅に軽減できる。その結果、腱鞘炎のおそれを軽減でき、また、安定性を向上できる。
【００１９】
指掛止部は、鋏先端側が開放された非リング状であることにより、人差し指および／または中指を開放部よりあげることができる。すなわち、リングから指を抜くまたはリングに挿入する動作が不要である。
【００２０】
上記発明において、好ましくは、前記指掛止部は、該軸支部と該薬指リングとの間から延設され、人差し指背部と当接する。
【００２１】
更に好ましくは、前記指掛止部の根元と前記薬指リングの鋏先端側端部との間に形成される空間の長さは、１５〜２５ｍｍである。
【００２２】
支点（薬指）−作用点（人差し指）間距離が充分長いため、人差し指背部において、小さな力で大きなモーメントを分担することができる。これにより、小指への負担を大幅に軽減できる。
【００２３】
更に好ましくは、前記指掛止部は、１／４楕円弧状である。
【００２４】
なお、１／８を超え、３／８未満であれば、おおよそ１／４とみなす。サイズが小さすぎると、充分に掛止できない。サイズが大きすぎると、指をスムーズにあげられない。１／４楕円弧状であることにより、充分に掛止でき、かつ、指をスムーズにあげることができる。
【００２５】
さらに、好ましくは、前記指掛止部の背部に溝が設けられる。
【００２６】
これにより、指掛止部を指背部にフィットするように調整できる。
【００２７】
上記発明において、好ましくは、前記指掛止部は、該薬指リングから延設され、中指背部と当接する。
【００２８】
上記発明において、好ましくは、前記指掛止部は、該軸支部と該薬指リングとの間から延設され、人差し指背部と当接する、人差し指掛止部と、該薬指リングから延設され、中指背部と当接する、中指掛止部とを有する。
【発明の効果】
【００２９】
本発明の鋏によれば、腱鞘炎のおそれを軽減できる。また、鋏保持の安定性が増す。
【図面の簡単な説明】
【００３０】
【図１】指の基本状態  ＜従来技術１＞
【図２】櫛を持った状態  ＜従来技術１＞
【図３】櫛で髪を梳かす動作  ＜従来技術１＞
【図４】切断長を調整する動作  ＜従来技術１＞
【図５】髪を切断する動作  ＜従来技術１＞
【図６】指の基本状態  ＜従来技術２＞
【図７】中指を中指リングから抜く動作  ＜従来技術２＞
【図８】本実施形態の概略構成  ＜本実施形態＞
【図９】クォーターリングの背部に設けられた溝
【図１０】指の基本状態  ＜本実施形態＞
【図１１】人差し指および中指をあげる動作  ＜本実施形態＞
【図１２】第１効果の説明図
【図１３】第２効果の説明図
【図１４】変形例
【図１５】変形例
【発明を実施するための形態】
【００３１】
本願発明の実施形態について説明する前に、従来技術１（一般例）と従来技術２（特許文献１）の課題について詳しく説明する。後述する本発明の実施形態と共通構成（図８参照）には同じ符号を付し、適宜説明を省略する。
【００３２】
＜従来技術１＞
従来技術１は、一般的に利用されている理容師や美容師の鋏である。動刃１１は柄部１２を介して親指リング１３と連続し、鋏半体１を構成する。親指リング１３にはヒットポイント１４が延設される。静刃２１は柄部２２を介し薬指リング２３と連続し、鋏半体２を構成する。薬指リング２３には小指掛２４が延設される。鋏半体１と鋏半体２とが軸支部３にて回動自在に連結されている。親指腹側を親指リング１３に押し当てることにより、静刃２１に対し動刃１１が回動し、静刃２１と動刃１１との間にある髪を切断する。
【００３３】
従来技術１を用いた散髪の動作について図を用いて説明する。なお、右利きを前提とする。
【００３４】
図１に従来技術１の基本状態を示す。親指を親指リング１３に挿入し、薬指を薬指リング２３に挿入し、人差し指と中指とを柄部２２に添え、小指を小指掛２４に掛ける。
【００３５】
図２に櫛を持った状態を示す。前回の髪切断後、鋏を握った状態で、右手で櫛を持つ。親指を親指リング１３から抜き、鋏を掌に包み込むように握りながら、人差し指および中指をあげ、櫛を親指と人差し指と中指との３点で支持する。
【００３６】
図３に櫛で髪を梳かす動作を示す。図２の状態を維持しながら、右手を使い、櫛で髪を数回梳かす。
【００３７】
図４に切断長を調整する動作を示す。櫛で髪を引出しながら、左手の人差し指と中指の間に髪を挟み、次の切断長を調節する。切断長が確定したら、左手の状態を維持する。
【００３８】
図５に髪を切断する動作を示す。櫛を右手から左手に持ち替える。左手の人差し指と中指は髪を挟んだ状態を維持する。左手の親指と人差し指の間に櫛を保持する。右手の親指を親指リング１３に再度挿入し、人差し指と中指とを柄部２２に添え、基本状態に戻す。左手の人差し指と中指との間から外に出ている髪を切断する。
【００３９】
この一連の動作を繰り返す。たとえば、1人の散髪にて、一連の動作が２００回以上繰り返される。
【００４０】
上記動作において、右手で櫛を持つとき（図１→図２）および櫛を持ち替え再度基本状態に戻るとき（図４→図５）、親指は親指リング１３から抜かれた状態であり、薬指は薬指リング２３に挿入された状態にある。
【００４１】
これにより、薬指（薬指リング２３）を中心とした大きなモーメントが発生する（後述する図１２参照）。なお、小指と薬指との間は短い。従って、モーメントによる回動を止めるために、小指に大きな力が作用する。これが、不安定状態および腱鞘炎の原因となる。
【００４２】
＜従来技術２＞
従来技術２は、薬指リング２３に連設される中指リング２９を備える。すなわちダブルリングを特徴とする。
【００４３】
従来技術２を用いた散髪の動作について図を用いて説明する。従来技術１と共通動作については、適宜説明を省略する。
【００４４】
図６に従来技術２の基本状態を示す。親指を親指リング１３に挿入し、中指を中指リング２９に挿入し、薬指を薬指リング２３に挿入し、人差し指を柄部２２に添え、小指を小指掛２４に掛ける。
【００４５】
右手で櫛を持つ動作において、まず、親指を親指リング１３から抜く。鋏は、中指、薬指、小指により支持される。その後、鋏を掌に包み込むように握りながら、中指を中指リング２９から抜き、櫛を親指と人差し指と中指との３点で支持する。
【００４６】
図７に中指を中指リング２９から抜く動作を示す。
【００４７】
従来技術２では、親指が親指リング１３から抜かれても、薬指が薬指リング２３に挿入され、中指が中指リング２９に挿入された状態を維持できる。薬指を中心とした大きなモーメントが発生した場合、中指リング２９が中指背部に掛止され、力が作用し、モーメントの一部を分担する（後述する図１２参照）。その結果、小指に作用する力は軽減される。
【００４８】
しかし、中指を中指リング２９から抜いたり、中指を中指リング２９に挿入したりする動作が必要となる。中指への負担が増大し、小指への負担軽減効果が相殺される。
【００４９】
＜本発明の実施形態＞
〜構成〜
図８は、本実施形態に係る鋏である。図８を用いて概略構成を説明する。
【００５０】
動刃１１は柄部１２を介して親指リング１３と連続し、鋏半体１を構成する。親指リング１３にはヒットポイント１４が延設される。静刃２１は柄部２２を介し薬指リング２３と連続し、鋏半体２を構成する。薬指リング２３には小指掛２４が延設される。鋏半体１と鋏半体２とが軸支部３にて回動自在に連結されている。
【００５１】
更に、クォーターリング４１およびワンエイスリング（= one eighth =1/8）４２を備える。
【００５２】
クォーターリング４１は、軸支部３と薬指リング２３との間から鋏先端側に向かって延設され、人差し指背部と当接する。クォーターリング４１は、楕円状の薬指リング２３の１／４弧状をしている。これにより、クォーターリング４１鋏先端側が開放されている。
【００５３】
クォーターリングの呼称は、おおよその形状およびサイズを想定させるものである。したがって、厳密に幾何学的な楕円弧である必要はない。リング内円（弧）が人差し指背部とフィットする形状であれば変形が可能である。また、厳密に１／４のサイズである必要はない。ここでは、１／８を超え、３／８未満であれば、おおよそ１／４とみなす。
【００５４】
クォーターリング４１の根元背面側と薬指リング２３の鋏先端側端部との間に形成される空間の長さｄは、１５〜２５ｍｍである。すなわち、中指が余裕をもって動ける空間を確保する。中指の大きさは個人差があるので幅を持たせている。
【００５５】
ワンエイスリング４２は、薬指リング２３に鋏先端側に向かって延設され、中指背部と当接する。ワンエイスリング４２は、楕円状の薬指リング２３の１／８弧状に近似する形状をしている。ワンエイスリングの呼称は、おおよその形状およびサイズを想定させるものであり、クォーターリング４１について説明したように厳密に、形状やサイズを限定するものではない。これにより、ワンエイスリング４２鋏先端側が開放されている。
【００５６】
図９は、クォーターリング４１の背部に設けられた溝４５である。図示の例では、幅０．５ｍｍ、深さ０．５ｍｍの溝が３本設けられている。万力等により力を加えると、溝４５の箇所で曲がりやすくなる。これにより、各個人の中指のサイズにフィットするように、形状の調整が可能となる。
【００５７】
溝４５の幅は０．５〜１．０ｍｍの範囲で変更できる。溝４５の深さは０．５〜０．７ｍｍの範囲で変更できる。本数の限定は特にない。
【００５８】
〜動作〜
本実施形態を用いた散髪の動作について図を用いて説明する。従来技術１と共通動作については、適宜説明を省略する（図１〜５参照）。
【００５９】
図１０は、本実施形態の基本状態である。親指を親指リング１３に挿入し、人差し指背部をクォーターリング４１に当接し、中指をワンエイスリング４２に当接し、薬指を薬指リング２３に挿入し、小指を小指掛２４に掛ける。
【００６０】
右手で櫛を持つ動作において、まず、親指を親指リング１３から抜く。クォーターリング４１は人差し指背部に掛止される。ワンエイスリング４２は中指背部に掛止される。小指は小指掛２４に掛けられる。これにより、鋏は、人差し指、中指、薬指、小指の４点により支持される。
【００６１】
その後、鋏を掌に包み込むように握りながら、人差し指および中指をあげ、櫛を親指と人差し指と中指との３点で支持する。
【００６２】
図１１は、人差し指および中指をあげる動作を示す。すなわち、クォーターリング４１、ワンエイスリング４２は鋏先端側が開放された非リング状であるため、リングから人差し指および中指を抜くという動作が不要である。同様に、リングに人差し指および中指を挿入するという動作が不要である。この人差し指および中指をあげる動作は、従来技術１の動作とほぼ同じであり、理容師や美容師は違和感なく本実施形態を使用することができる。
【００６３】
〜効果〜
図１２を用いて、従来技術１および従来技術２と比較することにより、本実施形態の第１効果について説明する。鋏に発生するモーメントおよび作用する力を概念的に記載する。
【００６４】
親指を親指リング１３抜くと、鋏の重心が力点となり、薬指（薬指リング２３）を中心とした大きなモーメントが発生する。その結果、従来技術１では、小指に大きな力が集中する。従来技術２では、中指リング２９がモーメントの一部を分担するため、小指に作用する力は軽減される。しかし、支点（薬指）−作用点（中指）間距離が短いため、その軽減効果は限定的である。
【００６５】
本実施形態において、支点（薬指）−作用点（人差し指）間距離が、従来技術２に比べて長いため、クォーターリング４１において、小さな力で大きなモーメントを分担することができる。また、ワンエイスリング４２でもモーメントの一部を分担する。その結果、小指に作用する力は大幅に軽減される。
【００６６】
これにより、腱鞘炎のおそれを軽減できる。更に、親指を親指リング１３から抜いた状態、すなわち、基本状態から櫛を持つとき、また、櫛を持ち替え再度基本状態に戻るとき（従来技術１の図４→図５参照）、バランスの良い４点支持により、安定性が格段に向上する。
【００６７】
なお、第１効果は、親指を親指リング１３抜く場合に限らず、髪を切断する場合にも得られる。すなわち、バランスの良い４点（人差し指、中指、薬指、小指）支持により、鋏（とくに、静刃）を安定した状態で保持できる。その結果、より正確なカットが期待できる。
【００６８】
図１３を用いて、従来技術１および従来技術２と比較することにより、本実施形態の第２効果について説明する。基本状態から櫛を持つとき、親指を親指リング１３から抜いた後の人差し指及び中指の概略軌跡を記載する。
【００６９】
従来技術２においては、中指を中指リング２９から抜いたり、中指を中指リング２９に挿入したりする動作が必要となる。これにより、中指への負担が増大する。
【００７０】
一方、本実施形態において、従来技術１の動作とほぼ同様に、人差し指および中指をあげる。すなわち、リングから人差し指および中指を抜く、または、リングに人差し指および中指を挿入するという動作が不要であり、従来技術２のような負担増はない。またカットスピードが低下するおそれもない。
【００７１】
従来技術１とほぼ同様の動作のため、理容師や美容師は違和感なく本実施形態を使用することができる。
【００７２】
なお、本実施形態の基本状態は極めて安定しており、熟練者は瞬時に櫛を持つことができる。これによりカットスピードが向上する。
【００７３】
〜変形例〜
本実施形態では、人差し指掛止部４１にクォーターリング（１／４）を用い、中指掛止部４２にワンエイスリング（１／８）を用いたが、これに限定されない。たとえば、人差し指掛止部４１にワンエイスリングを用い、中指掛止部４２にクォーターリングを用いてもよい。人差し指掛止部４１、中指掛止部４２ともに、クォーターリングを用いても良い。
【００７４】
すなわち、指掛止部４１，４２は、非リング状であって、フックのように指に掛止できればよい。本実施形態では、薬指リング２３と比較することで、大まかなサイズを連想しやすいように、クォーターリング、ワンエイスリングと表現しただけであって、楕円形状に限定されないし、サイズも限定されない。
【００７５】
ただし、薬指リング２３の１／８相当未満のサイズであると、やや支点側に作用する力の向きを考慮しても、指に充分に掛止できない。すなわち、第１効果が得られない。従って、掛止部４１，４２は、薬指リング２３の１／８相当以上のサイズであることが好ましい。
【００７６】
一方、薬指リング２３の１／２相当（ハーフリング）超のサイズであると、人差し指および中指をあげる動作が、従来技術１とほぼ同様にはできなくなる。すなわち、第２効果が得られない。従って、掛止部４１，４２は、薬指リング２３の１／２相当以下のサイズであることが好ましい。
【００７７】
また、本実施形態は、人差し指掛止部４１と中指掛止部４２の両方を備えるが、人差し指掛止部４１のみでも充分な効果が得られる（図１４参照）。なお、中指掛止部４２のみでも、本実施形態や人差し指掛止部４１のみの変形例程の効果は期待できないものの、一定の効果が得られる（図１５参照）。
【００７８】
さらに、人差し指掛止部４１による効果が大きいため、小指掛２４を無くしても良い。
【符号の説明】
【００７９】
１  鋏半体（第１）
２  鋏半体（第２）
３  軸支部
１１  動刃
１２  柄部
１３  親指リング
１４  ヒットポイント
２１  静刃
２２  柄部
２３  薬指リング
２４  小指掛部
２９  中指リング（従来技術２）
４１  クォーターリング（人差し指掛止部）
４２  ワンエイスリング（中指掛止部）
４５  溝
【図１】
2014200570.tif 000003
【図２】
2014200570.tif 000004
【図３】
2014200570.tif 000005
【図４】
2014200570.tif 000006
【図５】
2014200570.tif 000007
【図６】
2014200570.tif 000008
【図７】
2014200570.tif 000009
【図８】
2014200570.tif 000010
【図９】
2014200570.tif 000011
【図１０】
2014200570.tif 000012
【図１１】
2014200570.tif 000013
【図１２】
2014200570.tif 000014
【図１３】
2014200570.tif 000015
【図１４】
2014200570.tif 000016
【図１５】
2014200570.tif 000017